(57)【要約】【課題】給水システムの施工現場にて形状の異なる継手を施工する必要があり、準備し忘れて後日再施工することによって、施工日程が延期になり、住宅全体の工期の遅れを招くという問題や、配管に継手を取付ける際に誤って異なる継手を取付けてしまい、取付けのやり直しが必要になるというたいへん面倒な作業が必要になるという問題があった。【解決手段】給水本管と、複数の分岐管と、前記給水本管と前記分岐管を接続する第一のヘッダーと、前記第一のヘッダーと複数の分岐管に接続される第二のヘッダーを備える給水システムにおいて、前記第一のヘッダーの全ての給水接続部と、前記第二のヘッダーの前記第一のヘッダーとの給水接続部以外の全ての給水接続部の形状が雄又は雌形状のいずれかにした。【選択図】　図１
2004060408.tif 000002
【特許請求の範囲】
【請求項１】
給水本管と、複数の分岐管と、前記給水本管と前記分岐管を接続する第一のヘッダーと、前記第一のヘッダーと複数の分岐管に接続される第二のヘッダーを備える給水システムにおいて、前記第一のヘッダーの全ての給水接続部と、前記第二のヘッダーの前記第一のヘッダーとの給水接続部以外の全ての給水接続部の形状が雄又は雌形状のいずれかであることを特徴とする給水システム。
【発明の詳細な説明】
【０００１】
【産業上の利用分野】
本発明は住宅の給水システムに関するものである。
【０００２】
【従来の技術】
従来の給水システムには住宅へ水道水を供給する給水本管を住宅内の各水使用器具へ分岐させるヘッダーを有するものがある。このヘッダーの例を図１３に示す。図１３は特開２００１−１３２８８６号にて提案されているのものである。通常、ヘッダーを用いた給水システムでは、設置する住宅により水使用器具数が異なる。即ち水使用器具へつながる分岐管のヘッダーへの接続数が異なる。このため図１３のものは、一端が雄、他端が雌の部材１からなり、分岐の必要数に応じてこの部材１を接続して使用するというものである。
図１３では給水本管及び分岐管の接続数が合計６本になる。この６個の配管接続口３０〜３５に各々配管端部の継手を介して接続するようになっている。図１４、図１５は配管を接続した状態の前記継手の外観図である。
図１４において継手３７の一端には配管３８が接続され、他端には雌ねじ形状であるヘッダーの配管接続口３０〜３４に接続するための雄ねじ部３９を有する。また、図１５において継手３６の一端には配管４０が接続され、他端には雄ねじ形状であるヘッダーの配管接続口３５に接続するための雌ねじ部４１を有する。これらの継手及び配管をヘッダーに接続し給水システムを構成する。
【０００３】
【発明が解決しようとする課題】
しかしながら前記図１３の構成では、前述のようにヘッダーとの接続部形状が雄形状と雌形状という形状の異なる継手が必要になる。これはヘッダーを単一の部材１を必要数接続することによって構成しているためである。このため、給水システムの施工現場にて形状の異なる継手を施工する必要があり、準備し忘れて後日再施工することによって、施工日程が延期になり、住宅全体の工期の遅れを招くという問題や、配管に継手を取付ける際に誤って異なる継手を取付けてしまい、取付けのやり直しが必要になるというたいへん面倒な作業が必要になるという問題があった。
【０００４】
【課題を解決するための手段】
本発明は前記問題点を解決するため、給水本管と、複数の分岐管と、前記給水本管と前記分岐管を接続する第一のヘッダーと、前記第一のヘッダーと複数の分岐管に接続される第二のヘッダーを備える給水システムにおいて、前記第一のヘッダーの全ての給水接続部と、前記第二のヘッダーの前記第一のヘッダーとの給水接続部以外の全ての給水接続部の形状が雄又は雌形状のいずれかにした。
【０００５】
【作用】
前記のように、第一のヘッダーのみ使用した場合、また第一のヘッダーと第二のヘッダーを接続状態にて使用した場合のいずれの場合も給水本管及び分岐管のヘッダーへの接続用管継手形状を通水部材を雄形状または雌形状に統一できる。
【０００６】
【発明の実施の形態】
本発明の実施形態１の説明を行う。図１、２は第一のヘッダー２の正面外観図及び正断面図、図３、４は第二のヘッダー３の正面外観図及び正断面図、図５、６は接続部材４の正面外観図及び正断面図である。第一のヘッダーは図２のように通水接続部５は全て雌形状になっており、第二のヘッダーは図４のように通水接続部６のみが雄形状で他の通水接続部７は雌形状であり、さらに接続部材４は図６のように一端の通水接続部８は雄形状で、他端の通水接続部９は雌形状である。尚、通水接続部６及び通水接続部８にはＯリング１０を備えている。
【０００７】
上記の形状をしたヘッダーを接続した例を図７に示す。図７において、第一のヘッダー２は第二のヘッダー３と、また第二のヘッダー３は接続部材４と接続されており、各々の接続部はＯリング１０によって水密状態になっている。また、前記各接続部は取付部品１２によって両端の鍔部１１を挟み込む形で接続され、前記取付部品１２には建築躯体に固定する固定部品１３が接続されている。
ここで取付部品１２の形状について説明する。図８は取付部品１２の上面図、図９は図８のＢ−Ｂ断面図である。この取付部品１２には固定部品１３とネジ接続するための２個の穴１４と３個のスリット１５を有する。このスリット１５に前述のヘッダー２、３及び接続部材４の鍔部１１を挟み込み後、固定部品１３を取付部品１２にねじ２３にて固定することで各接続部が外れないようになっている。
【０００８】
また、このヘッダー２、３、及び接続部材４には分岐管に接続される管継手１６が接続されている。管継手１６の正面外観図を図１０に示す。図１０において管継手１６は両端に分岐管とワンタッチで接続される分岐管接続部１７及びヘッダー２、３及び接続部材４への接続部１８を有しており、接続部１８はＯリング１０を有している。この接続部１８と、ヘッダー２、３及び接続部材４との接続にはクイックファスナ１９を使用する。
クイックファスナ１９の形状を図１１及び図１２に示す。図１１はクイックファスナ１９の正面外観図、図１２は図１１でのＡ−Ａ断面図である。このクイックファスナ１９は金属製で内側に凹部２０を有し、このクイックファスナ接続時には管継手１６と、ヘッダー２、３及び接続部材４の鍔部１１が当接した状態で、前記凹部２０内に嵌るようになっている。
また、図７において、給水本管２１に接続された管継手２２は第一のヘッダー２に接続されている。ここで給水本管２１は分岐管に比べて径が大きいため管継手２２も大きい物を使用しているが両端接続部の構造は前述の管継手１６と同じく第一のヘッダー２との接続部は雄形状になっておりＯリングにて水密に接続されている。（図示せず）
上記のように構成することにより、接続している給水本管及び分岐管の接続継手は全て雄形状で統一することかできるため、従来であれば準備する必要のあった雄雌両方の管継手を施工現場に準備する必要がなく、準備のし忘れによって後日継手を再度準備し、施工をするといった施工工期への影響をなくすことができる。また、本実施例の構成を用いると、分岐配管が少なく第一のヘッダーの分岐数で十分の場合や、分岐配管が多く、第二のヘッダーを複数個使用しなくてはならない場合でも、接続している給水本管及び分岐管の接続継手は全て雄形状で統一することができる。
【０００９】
尚，本実施の形態では第一のヘッダーの全ての給水接続部が雌形状、第二のヘッダーの前記第一のヘッダーとの接続部が雄形状で他の給水接続部が全て雌形状の例を示したが、この場合のみに限らず、上記接続部全ての雄形状と雌形状が逆の場合でも、全ての管継手の接続部を雌形状にすることができ、本実施の形態と同様の効果を有する。
【００１０】
【発明の効果】
本発明は前記のように、給水本管と、複数の分岐管と、前記給水本管と前記分岐管を接続する第一のヘッダーと、前記第一のヘッダーと複数の分岐管に接続される第二のヘッダーを備える給水システムにおいて、前記第一のヘッダーの全ての給水接続部と、前記第二のヘッダーの前記第一のヘッダーとの給水接続部以外の全ての給水接続部の形状が雄又は雌形状のいずれかにしたので、給水本管及び分岐管に接続した管継手の、前記第一のヘッダー及び第二のヘッダーへの接続部形状を雄形状または雌形状のいずれかに統一することができる。このことにより、部材点数が少なくなり、より低コストでの　分岐配管部を実現することができる。
【図面の簡単な説明】
【図１】本発明の実施の形態１における第一のヘッダーの正面外観図
【図２】本発明の実施の形態１における第一のヘッダーの正断面図
【図３】本発明の実施の形態１における第二のヘッダーの正面外観図
【図４】本発明の実施の形態１における第二のヘッダーの正断面図
【図５】本発明の実施の形態１における接続部材の正面外観図
【図６】本発明の実施の形態１における接続部材の正断面図
【図７】本発明の実施の形態１における配管接続状態図
【図８】本発明の実施の形態１における取付部品の上面図
【図９】本発明の実施の形態１における取付部品のＢ−Ｂ断面図
【図１０】本発明の実施の形態１における管継手の正面外観図
【図１１】本発明の実施の形態１におけるクイックファスナの正面外観図
【図１２】本発明の実施の形態１におけるクイックファスナのＡ−Ａ断面図
【図１３】従来の給水システムのヘッダーの外観図
【図１４】従来の給水システムの配管接続状態の継手外観図
【図１５】従来の給水システムの配管接続状態の継手外観図
【符号の説明】
１　部材
２　第一のヘッダー
３　第二のヘッダー
４　接続部材
５　通水接続部（第一のヘッダー）
６　通水接続部（第二のヘッダー）
７　通水接続部（第二のヘッダー）
８　通水接続部（接続部材）
９　通水接続部（接続部材）
１０　Ｏリング
１１　鍔部
１２　取付部品
１３　固定部品
１４　接続固定用穴
１５　スリット
１６　管継手
１７　分岐管接続部
１８　ヘッダー及び接続部材への接続部
１９　クイックファスナ
２０　凹部
２１　給水本管
２２　管継手
２３　ねじ
３０、３１、３２、３３、３４、３５　配管接続口
３６、３７　継手
３８、４０　配管
３９　雄ねじ部
４１　雌ねじ部
【図１】
2004060408.tif 000003
【図２】
2004060408.tif 000004
【図３】
2004060408.tif 000005
【図４】
2004060408.tif 000006
【図５】
2004060408.tif 000007
【図６】
2004060408.tif 000008
【図７】
2004060408.tif 000009
【図８】
2004060408.tif 000010
【図９】
2004060408.tif 000011
【図１０】
2004060408.tif 000012
【図１１】
2004060408.tif 000013
【図１２】
2004060408.tif 000014
【図１３】
2004060408.tif 000015
【図１４】
2004060408.tif 000016
【図１５】
2004060408.tif 000017